(57)【要約】      （修正有）【課題】手を汚さないで簡単で芯の補充をスムーズに行うことができる替芯容器を提供する。【解決手段】替芯が収容される空間を有し空間と外部との間を連通する孔１−４が形成された容器本体１と、容器本体１の孔１−４を覆うように配置され容器本体１に対して回転するように接続された蓋本体２と、を備えた替芯容器であって、蓋本体２には、蓋本体２の基端２−２と先端２−３との間に、蓋本体２を回転させたときに容器本体１の孔１−４と連通される芯が通過する通路が形成されており、蓋本体２は、シャープペンシルの芯を補充する穴に直接差し込めるように先端に向かうにしたがって細くなるが、蓋の開閉と芯の目視を容易にするため先端２−３はヘラ状になっている。【選択図】図１
2019155897.tif 000002
【特許請求の範囲】
【請求項１】
替芯が収容される空間を有し空間と外部との間を連通する孔１−４が形成された容器本体１と、容器本体１の孔１−４を覆うように配置され容器本体１に対して回転するように接続された蓋本体２と、を備えた替芯容器であって、
蓋本体２には、
蓋本体２の基端２−２と先端２−３との間に、蓋本体２を回転させたときに容器本体１の孔１−４と連通される芯が通過する通路２−４が形成されており、
蓋本体２は、
シャープペンシルの芯を補充する穴に直接差し込めるように先端に向かうにしたがって細くなっているが、蓋の開閉と芯の目視を容易にするため先端２−３はヘラ状になっている
ことを特徴とする替芯容器。
【請求項２】
容器本体１の外周１−２において蓋本体２が閉じている状態で蓋本体２の基端２−２を塞ぐ
ことを特徴とする請求項１記載の替芯容器。
【請求項３】
蓋本体２の通路２−４の一部は開管である
ことを特徴とする請求項１記載の替芯容器。
【請求項４】
蓋本体２の通路２−４及び先端２−３は、
内面が丸みを帯びた構造になっている
ことを特徴とする請求項１または２記載の替芯容器。
【請求項５】
容器本体１に回転が固定され両端間の中間に楕円形部分を有する軸２−５−１と、
この軸２−５−１に蓋本体２を回転可能に連結する回転機構を備えており、
回転機構は、
軸２−５−１の楕円形部分の先端と接触し、蓋本体の回転を規制する２つの剛性ストッパー２−５−２と、
軸２−５−１の楕円形部分の先端が剛性ストッパー２−５−２に接触すると、剛性ストッパー２−５−２との間に軸２−５−１の楕円形部分の先端を挟む２つの軟性ストッパー２−５−３と、を備えており、
２つの軟性ストッパー２−５−３は、
軸２−５−１の楕円形部分の先端が剛性ストッパー２−５−２に接触している状態から、剛性ストッパー２−５−２が軸２−５−１の楕円形部分の先端から離れるように蓋本体２を回転させる力を加えると変形して蓋本体２の回転を許容する
ことを特徴とする請求項１、２または３記載の替芯容器。
【請求項６】
２つの軟性ストッパー２−５−３は、
先端がアーチ状になっている
ことを特徴とする請求項４記載の替芯容器。
【発明の詳細な説明】
【０００１】
【技術分野】
【０００２】  本発明は、替芯容器に関する。
【背景技術】
【０００３】  シャープペンシルでは、ある程度の長さの芯をシャープペンシル内に保管しておき、ノックすることによって芯を送り出して使用する。シャープペンシル内には複数本の芯を入れておくことができるが、シャープペンシル内の芯がなくなるとシャープペンシルに芯を補充する必要がある。そこで、替芯容器に替え芯を入れておき、必要なときに替芯容器から芯をシャープペンシルに補充する（例えば、特許文献１−３）。
【先行技術文献】
【特許文献】
【０００４】
【特許文献１】特開２００８−２００９８８
【特許文献２】特開２００８−０７３８５９
【特許文献３】特開２０１１−０２５６３６
【特許文献４】特開２０００−１８７８９２
【発明が解決しようとする課題】
【０００５】  従来の替芯容器では、芯をシャープペンシルに補充する際、芯を容器からつまんで入れるか、一度手に振り落としてから手でつまむことが多い。しかし、芯は極めて細く折れやすいため芯に細心の注意を払って補充しなければならず、この作業は煩わしいものである。また、芯を手でつまむことにより芯の黒鉛で手を汚すことが懸念される。
【０００６】  一方、特許文献４には、芯を直接シャープペンシルにいれることができるようになっているが、容器の構造が非常に複雑であり、芯排出部は直立時固定されているわけではないので不用意な力によって芯排出部が閉じる可能性があり、使用しづらい。
また、芯の通過する通路や孔は小さいため手入れがしづらく、万が一ゴミやチリなどが詰まってしまえば機能を著しく低下させる可能性がある。
【０００７】  本発明は、手を汚さないで簡単で芯の補充をスムーズに行うことができる替芯容器を提供することを目的とする。
【課題を解決するための手段】
【０００８】  第１発明の替芯容器は、替芯が収容される空間を有し空間と外部との間を連通する孔１−４が形成された容器本体１と、容器本体１の孔１−４を覆うように配置され容器本体１に対して回転するように接続された蓋本体２と、を備えた替芯容器であって、蓋本体２には、蓋本体２の基端２−２と先端２−３との間に、蓋本体２を回転させたときに容器本体１の孔１−４と連通される芯が通過する通路２−４が形成されており、蓋本体２は、シャープペンシルの芯を補充する穴に直接差し込めるように先端に向かうにしたがって細くなるが、蓋の開閉と芯の目視を容易にするため先端２−３はヘラ状になっていることを特徴とする。
第２発明の替芯容器は、第１発明において、容器本体１の外周１−２が、蓋本体２が閉じている状態で蓋本体２の基端２−２を塞ぐことを特徴とする。
第３発明の替芯容器は、第１発明において、蓋本体２の通路２−４の一部は開管であることを特徴とする。
第４発明の替芯容器は、第１または第３発明において、蓋本体２の通路２−４及び通路先端２−３は、内面が丸みを帯びた構造になっていることを特徴とする。
第５発明の替芯容器は、第１、第３または第４発明において、容器本体１に回転が固定され両端間の中間に楕円形部分を有する軸２−５−１と、この軸２−５−１に蓋本体２を回転可能に連結する回転機構を備えており、回転機構は、軸２−５−１の楕円形部分の先端と接触し、蓋本体の回転を規制する２つの剛性ストッパー２−５−２と、軸２−５−１の楕円形部分の先端が剛性ストッパー２−５−２に接触すると、剛性ストッパー２−５−２との間に軸２−５−１の楕円形部分の先端を挟む２つの軟性ストッパー２−５−３と、を備えており、２つの軟性ストッパー２−５−３は、軸２−５−１の楕円形部分の先端が剛性ストッパー２−５−２に接触している状態から、剛性ストッパー２−５−２が軸２−５−１の楕円形部分の先端から離れるように蓋本体２を回転させる力を加えると変形して蓋本体２の回転を許容することを特徴とする。
第６発明の替芯容器は、第５発明において、２つの軟性ストッパー２−５−３は、先端がアーチ状になっていることを特徴とする。
【発明の効果】
【０００９】  第１発明によれば、蓋本体２を回転させれば、蓋本体２によって容器本体１の孔１−４を塞いだり、替芯を取り出せる状態としたりすることができる。また、手を汚さず簡単に替芯をシャープペンシルに直接供給することができる。
第２発明によれば、蓋本体２を閉じている場合では容器外周１−２が蓋本体２の基端を塞ぐので、不用意にゴミやチリが入らず通路２−４が詰まることを防ぐ。
第３発明によれば、使用者が蓋本体２の通路を通る芯を目視できるので、シャープペンシルに替芯の補充が容易になる。
第４発明によれば、芯が丸みの窪みに集まるので、通路２−４を通過する際に予想外の方向に芯が飛び出すことがない。
第５発明によれば、蓋本体２を回転させる力が加わっていない場合には、剛性ストッパー２−５−２と軟性ストッパー２−５−３によって蓋本体２の回転を保持できるので、不用意な力で蓋本体が回転することがない。
第６発明によれば、蓋本体２を滑らかに回転させることができる。
【図面の簡単な説明】
【００１０】
【図１】本発明の全体図（蓋本体２が閉じている状態）
【図２】本発明の全体図（蓋本体２が開いている状態）
【図３】使用形態図
【図４】部品図  （Ａ）容器本体図  （Ｂ）蓋本体図  （Ｃ）蓋本体図（上図：ａ面から見た場合、下図：ｂ面から見た場合）
【図５】蓋本体の動作説明図及び蓋本体と容器本体との接合関係を示す図
【図６】蓋本体の内部構造図
【図７】蓋本体回転時の蓋内部回転機構説明図  （Ａ）蓋本体が閉じている場合  （Ｂ）蓋本体が開く瞬間（閉じる瞬間）
【図８】蓋本体回転時の蓋内部回転機構説明図  （Ａ）蓋本体が開ききる瞬間（閉じ始めた瞬間）  （Ｂ）蓋本体が開いている場合
【図９】（Ａ）蓋本体内部の芯が通る通路及び通路先端に関する図  （Ｂ）蓋本体内部構造図（ａ面から見た場合）
【発明を実施するための形態】
【００１１】  本発明の替芯容器は、シャープペンの替芯を保管しておく容器であって、手を汚さないで簡単で芯の補充をスムーズに行うことができるようにしたことに特徴を有している。
【００１２】  ［図１］のように、本発明の替芯容器は、替芯を入れておく容器本体１と、この容器本体１において替芯を排出する孔１−４を塞ぐための蓋本体２と、を備えている。蓋本体２及び容器本体１の形状は丸みを帯びており、容器本体１と蓋本体２の接続部分においても丸みのある形状になっているが、替芯が不用意に漏れないよう接続部分は密接していなければならない。本発明は蓋本体２の回転によって容器本体１の孔１−４を開閉して芯を出し入れするため、容器本体１に密接していながら蓋本体２が回転する機構を設けている。また、蓋本体２が閉じている場合と開ききっている場合に、使用上の観点から蓋本体２を固定できる構造となっている。
以上のような特徴を有している本発明の替芯容器について、回転器具に注視して本発明の技術的根拠の概略を説明する。
【００１３】  ［図６］及び［図９（Ｂ）］のように、蓋本体２は構造体２−５と接続器具２−１とを有している。構造体２−５は蓋本体２の内部に埋め込まれており、蓋本体２と容器本体１を挟むカバー１−５と接合器具２−１に接合されている軸２−５−１を中心に回転する（接合器具２−１はカバー１−５に埋め込まれており、蓋本体２の外周を貫通して軸２−５−１とも接続している）。
【００１４】  構造体２−５を［図７］及び［図８］により説明する。
構造体２−５は軟性ストッパー２−５−３及び剛性ストッパー２−５−２を備えたものであり、その中心に接続している軸２−５−１を中心に蓋本体２と同様に回転を行う。剛性ストッパー２−５−２及び軟性ストッパー２−５−３は蓋本体２が閉じている状態（［図７（Ａ）］参照）及び開いている状態（［図８（Ｂ）］参照）では蓋本体２を固定し回転するのを防ぐが、使用者が意図的に回転作用を加えた場合（［図７（Ｂ）］及び［図８（Ａ）］参照）、軟性ストッパー２−５−３が蓋本体２の回転する動きに合わせてたわむことで蓋本体２は回転運動を行う。軟性ストッパー２−５−３及び剛性ストッパー２−５−２の配置を［図７］及び［図８］のようにすることで、蓋本体２の過度な回転や逆回転を防ぐ。
【００１５】  ［図７］及び［図８］のように、軟性ストッパー２−５−３はアーチ状の機構であり、蓋本体２の回転運動に巻き込まれず軸２−５−１と接触しても滑らかに動く。回転作用によって軟性ストッパー２−５−３はたわむが、開閉が完了している状態では構造体２−５の変形は無いため、使用時に過度な力が加わり続けることで構造体２−５が破損することはない。
【００１６】  また、［図９（Ａ）］のように蓋本体２の容器本体１と接触する面は曲線になっており、蓋本体２の回転時に蓋本体２が容器本体１と接触することはない。また、蓋本体２が閉じている際、蓋本体２のｂ面が芯の通過する孔１−４を塞ぐので、これにより蓋本体２が閉じている際容器本体１は密閉される（［図１］参照）。
【００１７】  次に、容器本体１と蓋本体２について、それぞれ説明する。
【００１８】（蓋本体２について）
［図４（Ｂ）］及び［図８］のように、蓋本体２は全体的に丸みを帯びた形状をしている。蓋本体２は、先端２−３に向かうにしたがって細くなっており、先端はヘラ状に膨らんだ形になっている。蓋本体２は、先端２−３を除いて容器本体１に密接しており、接合器具２−１によって接合されている。
【００１９】  また、蓋本体２はこの接合器具２−１を軸として回転し、これにより蓋本体２の開閉を行うことができる。蓋本体２が全体的に丸みを帯びているのは、容器本体１と接する部分が滑らかに稼働し、かつ蓋本体２の回転により無駄なスペースが生じるのを防ぐためである。また手に持って使用する際に、手に馴染むようにするためである。なお、蓋本体２と容器本体１とが互いに接する部分は、その表面の曲率半径が同じで曲率中心が一致していることが望ましい。
【００２０】  蓋本体２が先端２−３に向かうにしたがって細くなっているのは、蓋本体２を経由して芯をシャープペンに直接挿入するためである。蓋本体２の先端２−３は、［図３（Ｂ）］（使用形態図）にあるようにシャープペンの芯を入れるための穴に直接差し込んで用いるため、シャープペンの芯を入れる穴に入るサイズに形成されている。具体的には、蓋本体２の先端２−３の細さは最大で芯が蓋体２を通過する際の通路２−４と同程度まで細くなっている。
【００２１】  蓋本体２がこのような形状になっているので、替芯容器からシャープペンに直接芯を補充することによって、従来の方法より手を汚さず正確でスムーズに芯を補充することができる。
【００２２】  なお、蓋本体２の先端２−３の先端があまりにも尖りすぎていると、▲１▼芯が複数本出てくる際に目視では確認しづらい、▲２▼蓋本体２の本来の機能である容器本体１の通路１−４を開閉する過程において指での作業に痛みを伴う（先端２−３が指に食い込む）、▲３▼本発明の替芯容器を収納する筆箱や鞄などを傷つけるなどの問題が懸念される。
【００２３】  そこで、蓋本体２の先端２−３はヘラ状の構造になっている。ヘラ状の構造の部分は丸みを帯びているので、指が当たっても痛くない。また、ある程度の広がりを持った構造なので芯が出てくる際にも広がりが生まれ目視しやすくなる。この広がりによりシャープペンに直接入れるだけではなく手で芯を持って取り出すことも容易になる（［図３（Ａ）］参照）。ただし、蓋本体２の先端２−３に広がりを持たせすぎるとシャープペンの芯を入れる穴に入らなくなるので、ヘラ状の構造の広がりは、丸みを帯びる程度であり、全体の大きさはシャープペンの芯を入れるための穴に直接差し込める大きさである。
【００２４】  さらに、［図３］及び［図４（Ｂ）］のように、蓋本体２のｂ面は先端２−３から蓋本体２の中間部分あたりまで解放されているため、芯を目視することが容易になり、突然芯が出てきて驚くといったような事態を防ぐことができる。なお、蓋本体２のｂ面は、蓋本体２を容器本体１に取り付けた際に、容器本体１側に向く面である。
【００２５】（蓋本体２のより詳細な構造について）
蓋本体２の機能的側面に関しては、［図６］（部品図〈蓋の内部構造について〉）にあるように、それぞれ内部に埋め込まれている芯を通すための通路２−４と構造体２−５がある。
【００２６】  通路２−４は、［図９（Ａ）］にあるように、閉管と開管を組み合わせたような構造になっている。閉管部分と開管部分は、蓋本体２が開いているときは通路２−４の端にある基端２−２が通路１−４と接続して容器本体１からシャープペンに芯を通す一本の通路となる（［図２］、［図３］参照）。
【００２７】  通路２−４の開管部分は蓋体２のｂ面の解放部分にあたる。通路２−４及び先端２−３は断面が丸みを帯びていて、丸みの窪みのあたりに芯が集中するので、従来の容器で芯を出すとき手で振って出すことにより芯が勢いづいて予想外の方向に飛び出すというようなことを防止することができる（［図９（Ａ）］参照）。ただし、先端２−３に関してはシャープペンの芯を入れる穴に入らなければならないので、穴に沿うように丸みを帯びる。
【００２８】  構造体２−５は、［図６］および［図９］にあるように、蓋本体２と容器本体１を挟むカバー１−５と接合器具２−１に接合されている軸２−５−１を中心に回転する（接合器具２−１はカバー１−５に埋め込まれており、蓋本体２の外周を貫通して軸２−５−１とも接続している）。軸２−５−１は［図６］および［図９］のような形状になっている。具体的には、軸２−５−１は、棒状の軸部分と楕円形部分とを有しており、その周囲に構造体２−５に接合され構造体２−５の回転に合わせて回転する剛性ストッパー２−５−２・軟性ストッパー２−５−３を組み合わせている。
【００２９】  以下、この構造体２−５によって蓋本体２が回転する仕組みを［図７］および［図８］により説明する。
【００３０】  ［図７（Ａ）］のように、蓋本体２が閉じている状態では軸２−５−１が剛性ストッパー２−５−２・軟性ストッパー２−５−３の両方によって固定される。具体的には、軸２−５−１の楕円形部分の先端が剛性ストッパー２−５−２に挟まれて固定されている。［図７（Ａ）］にあるように、軸２−５−１の楕円形部分と剛性ストッパー２−５−２が接触しているが、剛性ストッパー２−５−２はプラスチックなどの軸２−５−１と同程度の剛性を有する素材で形成されている。このため、蓋本体２に力が加わっても、軸２−５−１の楕円形部分は剛性ストッパー２−５−２によって移動が制限されて、［図７（Ａ）］では蓋本体２は時計周りには回転しない。また、軟性ストッパー２−５−３も蓋本体２に意図的な外力を加えなければ動くことはないので、使用者が蓋本体２を開閉するとき以外は反時計周りにも回転しない。
【００３１】  ［図７（Ｂ）］のように、蓋本体２を開く瞬間（閉じる瞬間）の状態について、使用者が蓋本体２蓋を開く方向（［図７（Ｂ）］では反時計周り）に回転させると、軸２−５−１の楕円形部分の先端によって軟性ストッパー２−５−３が押される。この軟性ストッパー２−５−３はゴムやプラスチックなど軸２−５−１よりも柔軟性のある素材によって形成されているので、軟性ストッパー２−５−３は軸２−５−１の動きに合わせてたわみ、蓋本体２が開く方向に動き始める。使用者が蓋本体２を閉じる方向（［図７（Ｂ）］では時計回り）に回転させると、軟性ストッパー２−５−３が軸２−５−１の楕円形部分の先端に押されてたわみ、蓋本体２が閉じる方向に回転する。この軟性ストッパー２−５−３はアーチ状の構造になっていて、蓋本体２の回転により軸２−５−１の楕円形部分の先端と接触しても回転運動に巻き込まれず滑らかに動くようになっている。
【００３２】  ［図８（Ａ）］のように、蓋本体２が開き切る瞬間（蓋本体２が閉じ始める瞬間）の状態について、蓋本体２を開く瞬間（閉じる瞬間）の状態と同様に蓋本体２の回転に合わせて軸２−５−１の楕円形部分の先端に押されて軟性ストッパー２−５−３がたわむ。
【００３３】  最後に、［図８（Ｂ）］のように、蓋本体２が開いている状態について、蓋本体２が閉じている状態と同様に軸２−５−１が剛性ストッパー２−５−２・軟性ストッパー２−５−３によって固定されている。具体的には、軸２−５−１の楕円形部分の先端が剛性ストッパー２−５−２に挟まれて固定されている。軸２−５−１の楕円形部分と剛性ストッパー２−５−２が接触しているので、［図８（Ｂ）］では蓋本体２は反時計周りには回転しない。使用者が意図して力を加えなければ時計回りにも回転しない。
【００３４】  蓋本体２が閉じている状態と蓋本体２が開いている状態は、使用上不用意な力によって動いてはいけない。つまり、蓋本体２の密閉状態は安定していなければならないし、蓋本体２が開いていて不用意に動くようなことがあれば蓋体２の内部を通過中の芯が蓋本体２の回転によって折れてしまう可能性がある。しかし、上記のような構造となっているので、蓋本体２が閉じている状態と蓋本体２が開いている状態において、蓋本体２の不用意な移動を防止できる。
【００３５】（容器本体１について）
容器本体１は、［図４（Ａ）］（部品図〈容器全体図〉）より説明する。
【００３６】  容器本体１は、芯を収納する内部が空洞になっており、外部の形状が直方体に近い。容器本体１の周りには、カバー１−５および容器に丸みを持たせるための容器外周１−２が付属した構造になっている。
【００３７】  容器外周１−２は、持ったときに手に馴染むように丸みを帯びた形状になっている。また、容器外周１−２は蓋本体２が閉まっているとき穴２−２（通路２−４の端部）を塞ぐようになっていて、ゴミなどが基端２−２から入って基端２−２及び通路２−４を詰まらせることを防ぐ。
【００３８】  構造体１−３は、蓋本体２の重心を支えるために蓋本体２に沿った曲線状の形状をしている。また、構造体１−３の上面（空洞の内面）が傾斜になるようになっていて、芯が通路１−４に向かうようになっている。
【００３９】  芯が予定外に漏れないよう、芯を出す穴は通路１−４だけになっている。［図１］および［図５］のように、この通路１−４は、蓋本体２が閉じているときは蓋本体２のｂ面が塞ぐので、芯が不用意に漏れたり折れたりすることはない。
【００４０】  また、替芯容器全体を見たとき、蓋体２を頭部、接続器具２−１を目（三本の線のようなものはまつ毛をイメージ）、容器本体１を胴体にみなすとペンギンに似ているため、容器本体１に鳥の羽のようなモチーフ１−１をデザインして替芯容器全体をペンギンに見立てている。このようなデザインにすることで私生活の中で愛着を持ってもらうことができる。すると、芯を買い足すときに替芯容器ごとではなく芯だけを買うようになるので、替芯容器を処分するコストと新しく製造するコストが減り、少エネに繋がる。
【符号の説明】
【００４１】１          容器本体
１−１      鳥の羽のモチーフ
１−２      容器外周
１−３      容器本体のうち容器本体で孔を除いて塞ぎ蓋本体を下から支える構造体
１−４      孔
１−５      カバー
２          蓋本体
２−１      接合器具
２−２      基端（蓋が開いているとき孔１−４と接合する）
２−３      先端
２−４      通路
２−５      構造体
２−５−１  軸
２−５−２  剛性ストッパー
２−５−３  軟性ストッパー
【図１】
2019155897.tif 000003
【図２】
2019155897.tif 000004
【図３】
2019155897.tif 000005
【図４】
2019155897.tif 000006
【図５】
2019155897.tif 000007
【図６】
2019155897.tif 000008
【図７】
2019155897.tif 000009
【図８】
2019155897.tif 000010
【図９】
2019155897.tif 000011
【手続補正書】
【提出日】平成30年8月20日(2018.8.20)
【手続補正１】
【補正対象書類名】特許請求の範囲
【補正対象項目名】請求項１
【補正方法】変更
【補正の内容】
【請求項１】
替芯が収容される空間を有し空間と外部との間を連通する孔１−４が形成された容器本体１と、容器本体１の孔１−４を覆うように配置され容器本体１に対して回転するように接続された蓋本体２と、を備えた替芯容器であって、蓋本体２には、蓋本体２の基端２−２と先端２−３との間に、蓋本体２を回転させたときに容器本体１の孔１−４と連通される芯が通過する通路２−４が形成されており、蓋本体２は、シャープペンシルにおける芯を補充する穴に蓋本体２の先端を直接差し込めるように先端に向かうにしたがって細くなっているが、先端２−３はヘラ状になっていることを特徴とする替芯容器。
【手続補正２】
【補正対象書類名】特許請求の範囲
【補正対象項目名】請求項２
【補正方法】変更
【補正の内容】
【請求項２】
蓋本体２が閉じている状態において、容器本体１の外周１−２が蓋本体２の基端２−２を塞ぐことを特徴とする請求項１記載の替芯容器。
【手続補正３】
【補正対象書類名】特許請求の範囲
【補正対象項目名】請求項６
【補正方法】変更
【補正の内容】
【請求項６】
２つの軟性ストッパー２−５−３は、先端がアーチ状になっていることを特徴とする請求項５記載の替芯容器。
【手続補正４】
【補正対象書類名】明細書
【補正対象項目名】０００４
【補正方法】変更
【補正の内容】
【０００４】
【特許文献】特開２００８−２００９８８
【特許文献２】特開２００８−０７３８５９
【特許文献３】特開２０１１−０２５６３６